【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
第一のネットワーク上の情報源アドレスによって指定される情報源と、
前記情報源アドレスを出力する、第二のネットワーク上の受信側アドレスによって指定される通信手段と、
該通信手段より出力される前記情報源アドレスを受信し、該受信した情報源アドレスによって指定される前記情報源に前記第一のネットワークを経由して接続することにより当該情報源の有する情報を取得して出力情報を生成し、該生成された出力情報を前記受信側アドレスによって指定される前記通信手段に第二のネットワークを経由して送信する情報処理手段と
を含む情報通信システム。
【請求項２】
情報処理手段は、取得した情報源の有する情報に基づいて生成される送信情報を予め蓄積する蓄積手段をさらに含み、前記情報処理手段に対する送信操作によって前記蓄積手段に蓄積された前記送信情報を前記情報処理手段における出力情報として受信側アドレスによって指定される通信手段に第二のネットワークを経由して送信するように構成した請求項１に記載の情報通信システム。
【請求項３】
情報処理手段は、受信側アドレスに対応する出力手段の対応関係を記憶する出力手段対応テーブルを含み、前記受信側アドレスが指定された際に前記出力手段対応テーブルを参照して、当該出力手段対応テーブルによって指定される出力手段に対応する出力情報を生成するように構成した請求項１または２に記載の情報通信システム。
【請求項４】
情報処理手段は、予め記憶された複数の出力手段情報を記憶する出力手段テーブルを含み、該出力手段テーブルに予め記憶された複数の出力手段情報を受信側アドレスによって指定される通信手段に送信し、該送信した複数の出力手段情報に基づいて選択された出力手段指定情報を前記受信者アドレスによって指定された前記通信手段から受信し、該受信した出力手段指定情報に応じて出力手段対応テーブルに記憶された受信側アドレスに対応する出力手段の対応関係を変更する請求項３に記載の情報通信システム。
【請求項５】
受信アドレス側によって指定される通信手段に接続された出力装置は印刷装置であり、出力情報は前記印刷装置に出力される情報である請求項１から４のいずれか１項に記載の情報通信システム。
【請求項６】
第一のネットワーク上の情報源を指定する情報源アドレスを第二のネットワーク上の受信側アドレスにより指定される通信手段より受信する情報源アドレス受信工程と、
該情報源アドレス受信工程において受信した前記情報源アドレスによって指定される前記情報源に前記第一のネットワークを経由して接続する接続工程と、
該接続工程によって接続された前記情報源より当該情報源の有する情報を取得する情報取得工程と、
該情報取得工程によって取得される前記情報に基づいて出力情報を生成する出力情報生成工程と、
該出力情報生成工程によって生成された出力情報を前記受信側アドレスによって指定される前記通信手段に前記第二のネットワークを経由して送信する出力情報送信工程とを含む情報処理方法。
【請求項７】
出力情報生成工程は、取得した情報源の有する情報に基づいて生成され、蓄積された送信情報を前記出力情報生成工程における出力情報とすることを含む請求項６に記載の情報処理方法。
【請求項８】
出力情報生成工程は、受信側アドレスが指定された際に受信側アドレスに対応する出力手段の対応関係を記憶する出力手段対応テーブルを参照し、当該出力手段対応テーブルによって指定される出力手段に対応する出力情報を生成することを含む請求項６または７に記載の情報処理方法。
【請求項９】
出力情報生成工程は、予め複数の出力手段情報を記憶する出力手段テーブルから、該出力手段テーブルに予め記憶された複数の出力手段情報を受信側アドレスによって指定される通信手段に送信し、該送信した複数の出力手段情報に基づいて選択された出力手段指定情報を前記受信者アドレスによって指定された前記通信手段から受信し、該受信した出力手段指定情報に応じて出力手段対応テーブルに記憶された受信側アドレスに対応する出力手段の対応関係を変更することを含む請求項８に記載の情報処理方法。
【請求項１０】
第一のネットワーク上の情報源を指定する情報源アドレスを第二のネットワーク上の受信側アドレスにより指定される通信手段より受信する情報源アドレス受信手段と、
該情報源アドレス受信手段が受信した前記情報源アドレスによって指定される前記情報源に前記第一のネットワークを経由して接続する接続手段と、
該接続手段によって接続された前記情報源より当該情報源の有する情報を取得する情報取得手段と、
該情報取得手段によって取得される前記情報に基づいて出力情報を生成する出力情報生成手段と、
該出力情報生成手段によって生成された出力情報を前記受信側アドレスによって指定される前記通信手段に前記第二のネットワークを経由して送信する出力情報送信手段とを含む情報処理装置。
【請求項１１】
出力情報生成手段は、情報取得手段によって取得された情報に基づいて生成される送信情報を蓄積する蓄積手段をさらに含み、前記出力情報生成手段に与えられる前記通信手段より送信される送信指示によって前記蓄積手段において蓄積された前記送信情報を前記出力情報生成手段における出力情報とするように構成した請求項９に記載の情報処理装置。
【請求項１２】
出力情報生成手段は、受信側アドレスに対応する出力手段の対応関係を記憶する出力手段対応テーブルを含み、前記受信側アドレスが指定された際に前記出力手段対応テーブルを参照して、当該出力手段対応テーブルによって指定される出力手段に対応する出力情報を生成するように構成した請求項１０または１１に記載の情報処理装置。
【請求項１３】
出力情報生成手段は、予め複数の出力手段情報を記憶する出力手段テーブルから、該出力手段テーブルに予め記憶された複数の出力手段情報を受信側アドレスによって指定される通信手段に送信し、該送信した複数の出力手段情報に基づいて選択された出力手段指定情報を前記受信者アドレスによって指定された前記通信手段から受信し、該受信した出力手段指定情報に応じて出力手段対応テーブルに記憶された受信側アドレスに対応する出力手段の対応関係を変更するように構成した請求項１２に記載の情報処理装置。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００９５
【補正方法】削除
【補正の内容】
【手続補正１４】
【補正対象書類名】明細書
【補正対象項目名】００９６
【補正方法】削除
【補正の内容】
【手続補正１５】
【補正対象書類名】明細書
【補正対象項目名】００９７
【補正方法】削除
【補正の内容】
【手続補正１６】
【補正対象書類名】明細書
【補正対象項目名】００９８
【補正方法】削除
【補正の内容】
【手続補正１７】
【補正対象書類名】明細書
【補正対象項目名】００９９
【補正方法】削除
【補正の内容】
【手続補正１８】
【補正対象書類名】明細書
【補正対象項目名】０１００
【補正方法】削除
【補正の内容】
【手続補正１９】
【補正対象書類名】明細書
【補正対象項目名】０１０１
【補正方法】削除
【補正の内容】
【手続補正２０】
【補正対象書類名】明細書
【補正対象項目名】０１０２
【補正方法】削除
【補正の内容】
【手続補正２１】
【補正対象書類名】明細書
【補正対象項目名】０１０３
【補正方法】削除
【補正の内容】
【手続補正２２】
【補正対象書類名】明細書
【補正対象項目名】０１０４
【補正方法】削除
【補正の内容】
【手続補正２３】
【補正対象書類名】明細書
【補正対象項目名】０１０５
【補正方法】削除
【補正の内容】